(57)【特許請求の範囲】
【請求項１】
操作桿（７）の先端部にギヤユニット（１６）を介して刈刃（１５）が取り付けられている刈払機（１）において、前記刈刃（１５）の作業者側上面を覆う平面視概略扇形状の刈刃カバー（３０）であって、
該刈刃カバー（３０）は、前記刈刃（１５）の回転軸線（Ｏ）を通る垂直面による断面形状が、へ字状ないし楕円弧状とされ、その上面に設けられた取付部（３４）が前記操作桿（７）の先端部近くの所定部位に取付固定され、前記刈刃カバー（３０）と前記刈刃（１５）との間に隙間（Ｓ）が形成され、前記刈刃（１５）で刈られた刈り草を、前記隙間（Ｓ）を通して排除するものであり、
前記操作桿（７）の中心線（Ｃ）より前記刈刃（１５）の回転方向進入側に位置する刈刃入口側ガード部（３０Ａ）は、その内周端縁部（３７ａ）が前記刈刃（１５）の回転方向退出側に位置する刈刃出口側ガード部（３０Ｂ）の内周端縁部（３７ｂ）より平面視で前記回転軸線（Ｏ）に近づく方向に突出せしめられて、先端角丸付き三角形ないし台形状の内周側突出部（３５）が延設され、
該内周側突出部（３５）は、前記刈り草を前記内周側突出部（３５）の上面側に誘導するべく、前記中心線（Ｃ）に対して所定角度（α）以上下向きに俯かされていることを特徴とする刈払機の刈刃カバー。
【請求項２】
操作桿（７）の先端部にギヤユニット（１６）を介して刈刃（１５）が取り付けられている刈払機（１）において、前記刈刃（１５）の作業者側上面を覆う平面視概略扇形状の刈刃カバー（３０）であって、
該刈刃カバー（３０）は、前記刈刃（１５）の回転軸線（Ｏ）を通る垂直面による断面形状が、へ字状ないし楕円弧状とされ、その上面中央右寄り部分に突設された取付部（３４）が前記操作桿（７）の先端部近くの所定部位に取付固定され、前記刈刃カバー（３０）と前記刈刃（１５）との間に隙間（Ｓ）が形成され、前記刈刃（１５）で刈られた刈り草を、前記隙間（Ｓ）を通して排除するものであり、
作業者から見て、前記操作桿（７）の中心線（Ｃ）より左側に位置する左側ガード部（３０Ａ）は、その内周端縁部（３７ａ）が前記操作桿（７）の中心線（Ｃ）より右側に位置する右側ガード部（３０Ｂ）の内周端縁部（３７ｂ）より平面視で前記回転軸線（Ｏ）に近づく方向に所定長以上突出せしめられて、先端角丸付き三角形ないし台形状の内周側突出部（３５）が延設され、
該内周側突出部（３５）は、前記刈り草を前記内周側突出部（３５）の上面側に誘導するべく、前記中心線（Ｃ）に対して所定角度（α）以上下向きに俯かされていることを特徴とする刈払機の刈刃カバー。
【請求項３】
前記回転軸線（Ｏ）を中心として前記内周側突出部（３５）の内周端縁部（３７ａ）を通る円の半径（Ｒａ）は、前記回転軸線（Ｏ）を中心として前記刈刃出口側の内周端縁部（３７ｂ）を通る円の半径（Ｒｂ）の２／３以下とされていることを特徴とする請求項１又は２に記載の刈払機の刈刃カバー。
【請求項４】
前記刈刃出口側の内周端縁部（３７ｂ）を通る円の半径（Ｒｂ）は、６０ｍｍ以上に設定されていることを特徴とする請求項３に記載の刈払機の刈刃カバー。
【請求項５】
前記内周側突出部（３５）の所定角度（α）は、側面視で前記操作桿（７）の中心線（Ｃ）に最も近い部位（３７ｋ）を基点にして前記操作桿（７）の中心線（Ｃ）に対して下向きに俯かされていることを特徴とする請求項１から４のいずれか一項に記載の刈払機の刈刃カバー。
【請求項６】
前記所定角度（α）は、５°〜１５°の範囲内に設定されていることを特徴とする請求項１から５のいずれか一項に記載の刈払機の刈刃カバー。
【請求項７】
上面側の端縁部（３７）には略全周にわたって補強リブ（３６）が上向きに突設されていることを特徴とする請求項１から６のいずれか一項に記載の刈払機の刈刃カバー。
【発明の詳細な説明】
【技術分野】
【０００１】
本発明は、回転駆動せしめられる刈刃により切断された草や小木類（以下、刈り草と称す）や刈刃に当たって跳ね上げられた小石類が作業者の方へ飛び散るのを防ぐために設けられる刈払機の刈刃カバーに係り、特に、刈り草を詰まらせることなく外部にスムーズに逃がすことができるようにした刈刃カバーに関する。
【背景技術】
【０００２】
一般に、刈払機は、操作桿の前端部に刈刃等からなる刈払作業部が取り付けられ、後端側に小型空冷２サイクル内燃エンジン等の動力源が取り付けられており、作業者が操作桿を左右等に振りながら刈払作業を行うものである。前記刈払作業部は、通常、丸鋸刃状の刈刃、ベベルギヤ等からなるギヤユニット、平面視で典型的には扇形状の刈刃カバー（安全カバー）等からなっており、刈刃は、通常、反時計回りに回転せしめられ、作業者から見て刈刃の前端領域及び左側領域の刃先部分で草木等を刈り取るようになっている。
【０００３】
前記刈刃カバーは、回転駆動せしめられる刈刃により切断された刈り草や刈刃に当たって跳ね上げられた小石類が作業者の方へ飛び散るのを防ぐために設けられているもので、従来の刈刃カバーとしては、下記特許文献１、２等にも見られるように、刈刃の作業者側上面（全面の１／４程度）を覆う平面視が概略扇形状で前記刈刃と略平行に配在される平板状の上面ガード部と、この上面ガード部の外周側に前記刈刃の周側を囲うように連設された周側ガード部と、前記上面ガード部における前記刈刃の回転方向進入側（作業者から見て通常は左側で、以下、こちら側を刈刃入口側と称し、反対側の刈刃回転方向退出側を刈刃出口側と称す）の端部に前記刈刃との隙間を縮小するように下向きに突設された草除け板部とを備えているものが多い。
【０００４】
しかしながら、かかる従来の刈刃カバーは、草除け板部が設けられているものの、該草除け板部に刈り草が当たってもそれを外部に充分に除けられず、刈り草が刈刃と草除け板部の下端との間や刈刃と上面ガード部との間に挟み込まれる等して詰まってしまうことが多々あった。このように、刈り草が詰まると、刈刃の回転が阻害されてその回転速度が低下し、刈刃の回転速度が低下すると、草捌けの悪化によりさらに刈り草がギヤユニット（ケース）等にも絡み付き、草刈り作業が難渋してしまうことになる。
【０００５】
また、刈り草が一旦刈刃と刈刃カバーとの間に挟み込まれて詰まってしまうと、詰まった刈り草を取り除く際に、前記草除け板部が邪魔になるとともに、刈刃とこれに平行に配在された上面ガード部との間の隙間が狭いこともあって、詰まった刈り草の取り除き作業が厄介であった。
【０００６】
このような従来の問題に鑑み、本願の発明者等は、先に、図４、図５に示される如くの刈刃カバー２０を開発している。以下、これを簡単に説明する。図示の刈刃カバー２０が使用されている刈払機は、操作杆７の先端側に、ベベルギヤ等からなるギヤユニット１６を介して矢印Ｐ方向（反時計回り）に回転せしめられる丸鋸刃状の刈刃１５が取り付けられており、これら刈刃１５、ギヤユニット１６、及び前記刈刃カバー２０等で刈払作業部３が構成されている。前記ギヤユニット１６は、段付き円筒状の基筒部１７Ａ及び該基筒部１７Ａから斜め上向きに（４５°ないし６０°の交差角をもって）突設された取付筒部１７Ｂからなるギヤケース１７を備え、前記取付筒部１７Ｂに操作桿７の先端部が内嵌固定されている。前記ギヤケース１７の下側には截頭円錐状の絡み防止部材１８が嵌装され、前記刈刃１５が該絡み防止部材１８で覆われた図示しない刈刃受け部材と刈刃押え部材１９とで挟まれた状態で前記ギヤケース１７に締付固定されている。
【０００７】
前記刈刃カバー２０は、平面視で中心角が約９０°〜１１０°の概略扇形状とされ、作業者側上面（全面の１／４強）を覆う上面ガード部２１と刈刃１５の周側を囲う周側ガード部２２とは緩やかな連続曲面（後述）で構成されており、その上面中央右寄り部分に突設された半円筒状嵌合部２４ａを持つ側面視台形状の取付部２４が操作桿７の先端部近くの所定部位に緊締具２８及びボルト類２９により締付固定されている。また、取付部２４の前側（内周側）には前記ギヤケース１７の取付筒部１７Ｂを受ける半円筒状の受け座２４ｂが設けられている。
【０００８】
この刈刃カバー２０は、作業者から見て操作桿７の中心線Ｃより左側（刈刃入口側）の左側ガード部２０Ａ（中心角θａが６０°前後）の方が右側（刈刃出口側）の右側ガード部２０B（中心角θｂが４５°前後）より大きくされており、また、従来は設けられていた草除け板部は存在しない。また、刈刃カバー１５の上面側の端縁部２７には略全周にわたって補強リブ２６が上向きに突設されており、さらに、左側ガード部２０Ａの内周端縁部２７ａと右側ガード部２０Ｂ側の内周端縁部２７ｂとは回転軸線Ｏを中心とする半径Ｒｃ（５０ｍｍ前後）の同一円周上に位置している。
【０００９】
そして、本例の刈刃カバー１５は、図５を参照すればよくわかるように、刈刃１５の回転軸線Ｏを通る垂直面による断面形状［刈刃入口側端部２０ａの側面形状（直交する方向から見た形状）や刈刃出口側端部２０bの側面形状も］が角丸付きへ字状ないし楕円弧状となっており、上面ガード部２１と周側ガード部２２とは従来のもののような明確な境界は無く、刈刃１５と当該刈刃カバー２０との間に形成される隙間（の高さ）Ｓは、回転軸線Ｏに近い内周端縁部２７ａ、２７ｂから刈刃１５の半径方向中心付近までは漸増し、そこから刈刃１５の外周にかけて漸減している。また、左側ガード部２０Ａの内周端縁部２７ａは、側面視で前記操作桿（７）の中心線（Ｃ）に最も近い部位となっている。
【００１０】
このような構成とされた刈刃カバー２０では、従来のように草除け板部が設けられておらず、また、上面ガード部２１及び周側ガード部２２からなる全体の断面形状が角丸付きへ字状ないし楕円弧状とされて、刈刃１５と当該刈刃カバー２０との間に形成される隙間Ｓが、刈り草が詰まりやすい刈刃１５の半径方向中心付近では内周側より相当大きくされているので、刈り草の大半は刈刃入口側から前記大きな隙間Ｓ部分を通って刈刃出口側へ詰まることなくスムーズに通り抜けて外部に排除され、また、仮に詰まったとしても草除け板部が存在せず、さらに、隙間Ｓが刈刃１５の半径方向中心付近では大きくされているので、刈り草の取り除き作業を容易に行うことができる。
【００１１】
【特許文献１】実開昭54-59439号公報
【特許文献２】実公昭55-46029号公報
【発明の開示】
【発明が解決しようとする課題】
【００１２】
しかしながら、前記刈刃カバー２０においても、次のような改善すべき課題があった。すなわち、本願の発明者等が刈刃１５上の刈り草の流れに着目して検討したところ、刈刃１５の半径方向中心付近より外周側の刈り草は、図４において白抜き矢印Ｎで示される如くに、概ね刈刃１５の回転方向（接線方向）に沿って流れ、刈刃１５と刈刃カバー２０との間の前記隙間Ｓをスムーズに通り抜けるのに対し、刈刃１５の内周側（回転軸線Ｏ近く）の刈り草は、図４において白抜き矢印Ｍで示される如くに、刈刃１５の回転方向からは時計回り（外周寄りに）に少しずれて、内周側から外周側に向かうような挙動を示すことが分かった、そのため、内周側の刈り草が前記隙間Ｓが比較的小さい内周端縁部２７ａと刈刃１５との間や刈刃入口側端部２０ａの内周側と刈刃１５との間等に挟み込まれて詰まってしまうとともに、ギヤユニット１６にも絡み付いてしまう等の問題があった。
【００１３】
本発明は、このような事情に鑑みてなされたもので、その目的とするところは、刈り草を詰まらせることなく外部にスムーズに逃がすことができるとともに、仮に詰まったとしても、その詰まった刈り草の取り除き作業を容易に行うことのできる刈刃カバーを提供することにある。
【課題を解決するための手段】
【００１４】
前記の目的を達成すべく、本発明に係る刈払機の刈刃カバーは、基本的には、操作桿の先端部にギヤユニットを介して刈刃が取り付けられている刈払機において、前記刈刃の作業者側上面を覆う平面視概略扇形状のもので、該刈刃カバーは、前記刈刃の回転軸線を通る垂直面による断面形状が、へ字状ないし楕円弧状とされ、その上面に設けられた取付部が前記操作桿の先端部近くの所定部位に取付固定され、前記刈刃カバーと前記刈刃との間に隙間が形成され、前記刈刃で刈られた刈り草を、前記隙間を通して排除するものであり、前記操作桿の中心線より前記刈刃の回転方向進入側に位置する刈刃入口側ガード部は、その内周端縁部が前記刈刃の回転方向退出側に位置する刈刃出口側ガード部の内周端縁部より平面視で前記回転軸線に近づく方向に突出せしめられて、先端角丸付き三角形ないし台形状の内周側突出部が延設され、該内周側突出部は、前記刈り草を前記内周側突出部の上面側に誘導するべく、前記中心線に対して所定角度以上下向きに俯かされていることを特徴としている。
【００１５】
より具体的には、操作桿の先端部にギヤユニットを介して刈刃が取り付けられている刈払機において、前記刈刃の作業者側上面を覆う平面視概略扇形状のもので、該刈刃カバーは、前記刈刃の回転軸線を通る垂直面による断面形状が、へ字状ないし楕円弧状とされ、その上面中央右寄り部分に突設された取付部が前記操作桿の先端部近くの所定部位に取付固定され、前記刈刃カバーと前記刈刃との間に隙間が形成され、前記刈刃で刈られた刈り草を、前記隙間を通して排除するものであり、作業者から見て、前記操作桿の中心線より左側に位置する左側ガード部は、その内周端縁部が前記操作桿の中心線より右側に位置する右側ガード部の内周端縁部より平面視で前記回転軸線に近づく方向に所定長以上突出せしめられて、先端角丸付き三角形ないし台形状の内周側突出部が延設され、該内周側突出部は、前記刈り草を前記内周側突出部の上面側に誘導するべく、前記中心線に対して所定角度以上下向きに俯かされていることを特徴としている。
【００１６】
より好ましい態様では、前記回転軸線を中心として前記内周側突出部の内周端縁部を通る円の半径は、前記回転軸線を中心として前記刈刃出口側の内周端縁部を通る円の半径の２／３以下とされる。
【００１７】
前記刈刃出口側の内周端縁部を通る円の半径は、好ましくは、６０ｍｍ以上に設定される。
【００１８】
前記内周側突出部の所定角度は、好ましくは、側面視で前記操作桿の中心線に最も近い部位を基点にして前記操作桿の中心線に対して下向きに俯かされる。この場合、好ましい態様では、前記所定角度は、５°〜１５°の範囲内に設定される。
【００１９】
他の好ましい態様では、上面側の端縁部には略全周にわたって補強リブが上向きに突設される。
【発明の効果】
【００２０】
上記の如くの構成とされた本発明に係る刈刃カバーでは、従来は設けられていた草除け板部が存在せず、また、全体の断面形状が角丸付きへ字状ないし楕円弧状とされて、刈刃と当該刈刃カバーとの間に形成される隙間が、刈り草が詰まりやすい刈刃の半径方向中心付近では内周側より相当大きくされているので、刈り草の大半は刈刃入口側から前記大きな隙間部分を通って刈刃出口側へ詰まることなくスムーズに通り抜けて外部に排除される。
【００２１】
また、図４、図５に示される従前の刈刃カバーでは、刈刃カバー（の内周部）と刈刃との間等に挟み込まれて詰まってしまうおそれのあった刈刃の内周側の刈り草は、刈刃の回転軸線に近づく方向に若干俯かされて突出せしめられている刈刃入口側ガード部の内周突出部によって、その大半が当該刈刃カバーの上面側に誘導されて、この上面側を滑って外部に排除される。このため、刈刃カバーと刈刃との間の隙間に刈り草が詰まるような事態が低減され、草刈作業を円滑に効率よく行うことができる。
【００２２】
また、仮に当該刈刃カバーと刈刃との間等に刈り草が詰まったとしても、本発明の刈刃カバーでは、草除け板部が存在せず、加えて、前記隙間が刈刃の半径方向中心付近では大きくされているので、従来は難儀していた詰まった刈り草の取り除き作業を容易に行うことができる。
【発明を実施するための最良の形態】
【００２３】
以下、本発明の刈刃カバーの実施の形態を図面を参照しながら説明する。
図１は、本発明に係る刈刃カバーの一実施形態が採用された刈払機の一例を示す全体斜視図、図２及び図３は、図１に示される刈刃カバーの拡大平面図及び拡大側面図である。なお、図１〜図３においては、本実施形態の刈刃カバー３０以外の、前述した図４、図５に示される刈払機の各部に対応する部分には同一の符号が付されている。
【００２４】
図示例の刈払機１は、前グリップ８やレバー装置１２付きの後グリップ９が設けられた操作杆７の先端側に、ベベルギヤ等からなるギヤユニット１６を介して矢印Ｐ方向（反時計回り）に回転せしめられる丸鋸刃状の刈刃１５が取り付けられており、これら刈刃１５、ギヤユニット１６、及び前記刈刃カバー３０等で刈払作業部３が構成されている。
【００２５】
前記操作桿７の後端側には、前記刈刃１５を前記操作杆７に内挿されたドライブシャフト及びギヤユニット１６を介して駆動するための動力源としての、リコイルスターター６や燃料タンク４が付設されたエンジン（小型空冷２サイクル内燃エンジン）２が配備されており、このエンジン２にスロットル弁ＣＶを有する気化器（図示省略）や点火プラグ５が備えられている。
【００２６】
前記ギヤユニット１６は、段付き円筒状の基筒部１７Ａ及び該基筒部１７Ａから斜め上向きに（４５°ないし６０°の交差角をもって）突設された取付筒部１７Ｂからなるギヤケース１７を備え、前記取付筒部１７Ｂに操作桿７の先端部が内嵌固定されている。前記ギヤケース１７の下側には截頭円錐状の絡み防止部材１８が嵌装され、前記刈刃１５が該絡み防止部材１８で覆われた図示しない刈刃受け部材と刈刃押え部材１９とで挟まれた状態で締付固定されている。
【００２７】
本実施形態の刈刃カバー３０は、平面視で中心角が約９０°〜１１０°の概略扇形状とされ、作業者側上面（全面の１／４強）を覆う上面ガード部３１と刈刃１５の周側を囲う周側ガード部３２とは緩やかな連続曲面（後述）で構成されており、その上面中央右寄り部分に突設された半円筒状嵌合部３４ａを持つ側面視台形状の取付部３４が操作桿７の先端近くの所定部位に緊締具２８及びボルト類２９により締付固定されている。また、取付部３４の前側（内周側）には前記ギヤケース１７の取付筒部１７Ｂを受ける半円筒状の受け座２４ｂが設けられている。
【００２８】
この刈刃カバー３０は、作業者から見て操作桿７の中心線Ｃより左側（刈刃入口側）の左側ガード部３０Ａ（中心角θａが６０°前後）の方が右側（刈刃出口側）の右側ガード部３０Ｂ（中心角θｂが４０°前後）より大きくされており、また、従来は設けられていた草除け板部は存在しない。なお、右側ガード部３０Ｂの中心角θｂは、前述した図４、図５に示される従前の刈刃カバー２０のそれよりも小さくされている。また、刈刃カバー１５の上面側の端縁部３７には略全周にわたって補強リブ３６が上向きに突設されている。
【００２９】
また、本実施形態の刈刃カバー３０は、図３を参照すればよくわかるように、刈刃１５の回転軸線Ｏを通る垂直面による断面形状［刈刃入口側端部３０ａの側面形状（直交する方向から見た形状）や刈刃出口側端部３０bの側面形状も］が角丸付きへ字状ないし楕円弧状となっており、上面ガード部３１と周側ガード部３２とは従来のもののような明確な境界は無い。
【００３０】
また、作業者から見て、前記操作桿７の中心線Ｃより左側に位置する刈刃入口側の左側ガード部３０Ａは、その内周端縁部３７ａが、前記操作桿７の中心線Ｃより右側に位置する刈刃出口側の右側ガード部３０Ｂの内周端縁部３７ｂより平面視で前記回転軸線Ｏに近づく方向に所定長以上突出せしめられて、先端角丸付き三角形ないし台形状の内周側突出部３５が延設されている。
【００３１】
ここでは、前記回転軸線Ｏを中心として前記内周側突出部３５の先端（内周端縁部３７ａ）を通る円の半径Ｒａは、前記回転軸線Ｏを中心として前記刈刃出口側の右側ガード部３０Ｂの内周端縁部３７ｂの先端を通る円の半径Ｒｂの１／２以下とされている。より詳細には、刈刃出口側の半径Ｒｂは、前述した図４、図５に示される従前の刈刃カバー２０における刈刃出口側の半径Ｒｃ（５０ｍｍ前後で刈刃入口側と同じ）よりも大きい７０ｍｍ前後とされていて、右側ガード部３０Ｂの内周端縁部３７ｂとギヤユニット１６（基筒部１７Ａ）との間には、従前の刈刃カバー２０より大きなスペースが開けられているのに対し、刈刃入口側の半径Ｒａは、３０ｍｍ前後となっていて、左側ガード部３０Ｂの内周端縁部３７ａとギヤユニット１６（基筒部１７Ａ）との間には小さなスペースしか開いていない。
【００３２】
上記に加えて、前記左側ガード部３０Ａの内周側突出部３５は、側面視で前記操作桿７の中心線Ｃに最も近い部位３７ｋ（前述した図４、図５に示される従前の刈刃カバー２０の内周端縁部２７ａ、２７ｂの位置に相当する）を基点にして前記中心線Ｃに対して所定角度α以上下向きに俯かされている。前記所定角度αは、好ましくは５°〜１５°の範囲内に設定され、ここでは、１０°前後とされている。
【００３３】
したがって、本実施形態では、刈刃１５と当該刈刃カバー３０との間に形成される隙間（の高さ）Ｓは、回転軸線Ｏに最も近い内周側突出部３５の先端（内周端縁部３７ａ）から刈刃１５の半径方向中心付近までは、前述した図４、図５に示される従前の刈刃カバー２０より急勾配で漸増し、そこから刈刃１５の外周にかけては従前の刈刃カバー２０と同様に漸減している。
【００３４】
このような構成とされた本実施形態の刈刃カバー３０では、従来は設けられていた草除け板部が存在せず、また、全体の断面形状が角丸付きへ字状ないし楕円弧状とされて、刈刃１５と当該刈刃カバー３０との間に形成される隙間Ｓが、刈り草が詰まりやすい刈刃１５の半径方向中心付近では内周側より相当大きくされているので、刈刃１５の半径方向中心付近より外周側の刈り草は、図２において白抜き矢印Ｎで示される如くに、概ね刈刃１５の回転方向（接線方向）に沿って流れ、この刈り草の大半は刈刃入口側（３０ａ）から前記大きな隙間Ｓ部分を通って刈刃出口側（３０ｂ）へ詰まることなくスムーズに通り抜けて外部に排除される。また、右側ガード部３０Ｂの内周端縁部３７ｂとギヤユニット１６（基筒部１７Ａ）との間には、従前の刈刃カバー２０より大きなスペースが開けられているので、刈り草の排出が一層スムーズとなる。
【００３５】
一方、図４、図５に示される従前の刈刃カバー２０では、刈刃カバー（の内周部）と刈刃との間等に挟み込まれて詰まってしまうおそれのあった刈刃１５の内周側の刈り草は、刈刃１５の回転軸線Ｏに近づく方向に若干俯かされて突出せしめられている左側ガード部３０Ａ（刈刃入口側）の内周端縁部３７ａによって、図２において白抜き矢印Ｍで示される如くに、その大半が当該刈刃カバー３０の上面側に誘導されて、この上面側を滑って外部に排除される。このため、刈刃カバー３０と刈刃１５との間の隙間Ｓに刈り草が詰まるような事態が低減され、草刈作業を円滑に効率よく行うことができる。
【００３６】
さらに、仮に当該刈刃カバー３０と刈刃１５との間の隙間Ｓに刈り草が詰まったとしても、本実施形態の刈刃カバー３０は、草除け板部が存在せず、加えて、前記隙間Ｓが刈刃１５の半径方向中心付近では大きくされているので、従来は難儀していた詰まった刈り草の取り除き作業を容易に行うことができる。
【図面の簡単な説明】
【００３７】
【図１】本発明に係る刈刃カバーの一実施形態が採用された刈払機の一例を示す全体斜視図。
【図２】図１に示される刈刃カバーの拡大平面図。
【図３】図１に示される刈刃カバーの拡大側面図
【図４】従前の刈刃カバーの平面図。
【図５】従前の刈刃カバーの側面図。
【符号の説明】
【００３８】
１      刈払機
７      操作桿
１５    刈刃
１６    ギヤユニット
３０    刈刃カバー
３０Ａ  左側ガード部（刈刃入口側ガード部）
３０Ｂ  右側ガード部（刈刃出口側ガード部）
３５    内周側突出部
３７ａ  刈刃入口側の内周端縁部
３７ｂ  刈刃出口側の内周端縁部
３８    補強リブ
Ｏ      刈刃の回転軸線
Ｃ      操作桿の中心線
【図１】
0005398154.tif 000002
【図２】
0005398154.tif 000003
【図３】
0005398154.tif 000004
【図４】
0005398154.tif 000005
【図５】
0005398154.tif 000006